【手続補正書】
【提出日】令和2年12月31日(2020.12.31)
【手続補正１】
【補正対象書類名】特許請求の範囲
【補正対象項目名】全文
【補正方法】変更
【補正の内容】
【特許請求の範囲】
【請求項１】
現実世界をデジタル映像化したメタバースからなる仮想空間を表示するためのデータを蓄積した仮想空間データベースと、
前記仮想空間データベースに蓄積されているデータを用いて前記仮想空間をユーザ端末に表示させるための制御を行なう仮想空間表示制御手段と、
前記仮想空間中に、ブログやＳＮＳ等のサイバー空間に遷移するためのリンクを張る制御を行うリンク設定手段と、
ユーザが前記ユーザ端末を操作してアクセスしたい仮想空間を指定することにより当該指定を受付ける受付け手段とを備え、
前記仮想空間表示制御手段は、前記指定された前記仮想空間を前記ユーザ端末に表示させるための制御を行なう指定仮想空間表示制御手段を含み、
ユーザが、前記設定されているリンクを介して前記仮想空間から前記サイバー空間に遷移する操作を行うことにより、当該サイバー空間へ遷移してアクセス可能とする、コンピュータシステム。
【請求項２】
前記ユーザ端末の操作によりユーザが地理的位置を特定して入力した投稿を受付けて記憶する記憶手段と、
前記投稿の入力が行われている地理的位置に移動したユーザが該投稿を閲覧する操作を行うことにより、前記記憶手段に記憶されている前記投稿を閲覧可能にする投稿閲覧手段とをさらに備える、請求項１に記載のコンピュータシステム。
【手続補正２】
【補正対象書類名】明細書
【補正対象項目名】発明の名称
【補正方法】変更
【補正の内容】
【発明の名称】コンピュータシステム
【手続補正３】
【補正対象書類名】明細書
【補正対象項目名】０００１
【補正方法】変更
【補正の内容】
【０００１】
本発明は、現実世界をデジタル映像化したメタバースからなる仮想空間をユーザ端末に表示させるコンピュータシステムに関する。
【手続補正４】
【補正対象書類名】明細書
【補正対象項目名】０００２
【補正方法】変更
【補正の内容】
【０００２】
コンピュータを利用して特定の者同士が交流可能状態になる方法として、従来から一般的に知られているものに、たとえば、自分の携帯電話のメールアドレスまたは電話番号を相手に知らせて連絡を取ることができる状態（以下これを「連絡可能状態」という）にするのが、従来から一般的な方法である。そして、知得した相手方のメールアドレスなどを自分の携帯電話のアドレス帳に記憶させ、ユーザの操作に応じて一覧表示させることのできる携帯電話が提案されている（たとえば、特許文献１）。
また、仮想空間として表示された地図上に、店舗や建物等の目的対象物及び各ユーザーの分身オブジェクトを緯度・経度に基づいて正確な位置に表示し、それらのうちから選択した目的対象物に関する現実の情報を容易に取得可能とするとともに、他のユーザーとの間のメッセージ交換をリアルタイムに可能とし、各ユーザーが遠隔の地に実際に行かなくても、行きたい場所に関する物的又は人的な情報を容易に得ることができ、視覚的にも良好な現実感を得つつ、リアルタイムでインタラクティブな情報を容易に取得するように構成したものが提案されている（たとえば、特許文献２）。
【手続補正５】
【補正対象書類名】明細書
【補正対象項目名】０００３
【補正方法】変更
【補正の内容】
【０００３】
【特許文献１】特許第４２５６３７４号公報
【特許文献２】特開２００９−２５９１３５号公報
【手続補正６】
【補正対象書類名】明細書
【補正対象項目名】０００４
【補正方法】変更
【補正の内容】
【０００４】
一方、リアル世界内での人同士の出会いまたはイベントやコンサート会場への出席などは、人の行動できる範囲の物理的な制約のために、或る限られた狭い範囲内のものとなる不都合がある。また、人が自由になる時間は限られており、このような限られた時間内で遠隔地まで行くことは不可能である。
【手続補正７】
【補正対象書類名】明細書
【補正対象項目名】０００５
【補正方法】変更
【補正の内容】
【０００５】
例えば、天文学に興味のあるアマチュアカメラマンが日本での皆既日食の撮影に成功し、また同じ趣味を持った多くの人とコンタクトがとれる連絡可能状態を構築できたものの、次に発生する外国での皆既日食にはどうしても都合が付かず、現地に出向くことができない、という不都合がある。
この行動範囲の物理的制約と時間的制約を克服する方法として、発明者は、ストリートビュー等の現実世界をデジタル映像化したメタバースからなる仮想空間（バーチャル世界）内ではいつでもどこでも瞬間移動が可能となるという特性を利用することを新たに考え出した。
【手続補正８】
【補正対象書類名】明細書
【補正対象項目名】０００６
【補正方法】変更
【補正の内容】
【０００６】
本発明の目的は、現実世界をデジタル映像化したメタバースからなる仮想空間（バーチャル世界）とブログやＳＮＳ（Social Networking Service）等のサイバー空間とを結び付ける（橋渡しする）中継機能を提供することである。
【手続補正９】
【補正対象書類名】明細書
【補正対象項目名】０００８
【補正方法】変更
【補正の内容】
【０００８】
本発明は、現実世界をデジタル映像化したメタバースからなる仮想空間を表示するためのデータを蓄積した仮想空間データベース（たとえば、仮想タグデータベース９、ユーザデータベース１１、ユーザ四次元座標データベース１１ａ、出来事四次元座標データベース、会話データベース６１等）と、
前記仮想空間データベースに蓄積されているデータを用いて前記仮想空間をユーザ端末（たとえば、携帯電話２）に表示させるための制御を行なう仮想空間表示制御手段（たとえば、図９、図３１）と、
前記仮想空間中に、ブログやＳＮＳ等のサイバー空間に遷移するためのリンクを張る制御を行うリンク設定手段（たとえば、図２２のＳ４７３）と、
ユーザが前記ユーザ端末を操作してアクセスしたい仮想空間を指定することにより当該指定を受付ける受付け手段（たとえば、図９のＳ３３、図３１のＳ４８０）とを備え、
前記仮想空間表示制御手段は、前記指定された前記仮想空間を前記ユーザ端末に表示させるための制御を行なう指定仮想空間表示制御手段（たとえば、図９のＳ３６〜Ｓ４１、図３１のＳ３６、Ｓ３７、Ｓ４８１〜Ｓ４８５、Ｓ３９〜Ｓ４１、Ｓ４８６〜Ｓ４８９）を含み、
ユーザが、前記設定されているリンクを介して前記仮想空間から前記サイバー空間に遷移する操作を行うことにより、当該サイバー空間へ遷移してアクセス可能とする（たとえば、他人がこのリンク先ＵＲＬをクリックすれば対応するユーザのコンテンツ（ブログ等）にジャンプしてアクセスすることができる）。
【手続補正１０】
【補正対象書類名】明細書
【補正対象項目名】０００９
【補正方法】変更
【補正の内容】
【０００９】
好ましくは、前記ユーザ端末の操作によりユーザが地理的位置を特定して入力した投稿を受付けて記憶する記憶手段（たとえば、Ｓ９４、Ｓ４３８、Ｓ４８５、Ｓ２１０のメモリアル仮想タグ、図２３等）と、
前記投稿の入力が行われている地理的位置に移動したユーザが該投稿を閲覧する操作を行うことにより、前記記憶手段に記憶されている前記投稿を閲覧可能にする投稿閲覧手段（たとえば、Ｓ９１、Ｓ４３７、Ｓ４８５、図２３、Ｓ２１０のメモリアル仮想タグ等）とをさらに備える。
【手続補正１１】
【補正対象書類名】明細書
【補正対象項目名】００１０
【補正方法】変更
【補正の内容】
【００１０】
このような構成によれば、現実世界をデジタル映像化したメタバースからなる仮想空間とブログやＳＮＳ（Social Networking Service）等のサイバー空間とを結び付ける（橋渡しする）中継機能を提供し得る。